(57)【特許請求の範囲】
【請求項１】
遮蔽材を昇降可能とする遮蔽装置であって、
遮蔽材の下端部に取着される錘部材と、
前記錘部材に対し上下方向に相対移動可能に支持される可動プレートを備え、
前記可動プレートは、前記遮蔽材の引き操作に応じて前記錘部材に対し相対移動するよう構成されていることを特徴とする遮蔽装置。
【請求項２】
前記遮蔽材の自動引き上げを行う機能と当該自動引き上げの付勢力による当該遮蔽材の引き上げ動作を阻止するロック機能とを有する自動引き上げ機構を更に備えることを特徴とする、請求項１に記載の遮蔽装置。
【請求項３】
遮蔽材を昇降可能とする遮蔽装置であって、
遮蔽材の下端部に取着される錘部材と、
前記錘部材の一側面のみに沿って上下方向に相対移動可能に支持される可動プレートを備え、
前記可動プレートは、一定の可動域を有するとともに、当該錘部材の下方を遮蔽するように下方へ相対移動可能に構成されていることを特徴とする遮蔽装置。
【請求項４】
遮蔽材を昇降可能とする遮蔽装置であって、
遮蔽材の下端部に取着される錘部材と、
前記錘部材に対し上下方向に相対移動可能に支持される可動プレートを備え、
前記可動プレートは、一定の可動域を有するとともに、当該錘部材の下方を遮蔽するように下方へ相対移動可能に構成され、前記遮蔽材の自動引き上げを行う機能と当該自動引き上げの付勢力による当該遮蔽材の引き上げ動作を阻止するロック機能とを有する自動引き上げ機構を更に備え、
前記可動プレートは、当該ロック機能のストッパー動作により上昇する前記錘部材の戻り量以上の前記可動域を有するとともに、当該錘部材の下方を遮蔽するよう自重により下方へ相対移動可能に構成されていることを特徴とする遮蔽装置。
【請求項５】
前記可動プレートは、前記遮蔽材の引き操作に応じて前記錘部材に対し上方に相対移動するよう構成されていることを特徴とする、請求項３又は４に記載の遮蔽装置。
【請求項６】
前記可動プレートは、前記錘部材の外面に可動係合され、前記遮蔽材の引き操作に応じて当該可動プレートが一定の可動域内で相対移動することを特徴とする、請求項１から５のいずれか一項に記載の遮蔽装置。
【請求項７】
前記可動プレートは、装飾生地の上端及び下端の各々を着脱可能に掴持する係合保持部を有することを特徴とする、請求項１から６のいずれか一項に記載の遮蔽装置。
【請求項８】
前記可動プレートは、装飾生地の上端を着脱可能に掴持する係合保持部と、前記装飾生地の下端のバタツキを抑制する生地押さえを有することを特徴とする、請求項１から６のいずれか一項に記載の遮蔽装置。
【発明の詳細な説明】
【技術分野】
【０００１】
本発明は、遮蔽材を昇降可能とする遮蔽装置に関し、特に、遮蔽材の自動引き上げ機構を備えた遮蔽装置に関する。
【背景技術】
【０００２】
スクリーン等の遮蔽材を昇降可能とする遮蔽装置として、ロールスクリーン、ローマンシェード、プリーツスクリーン等がある。
【０００３】
これらの遮蔽装置のうち、遮蔽材を自動的に引き上げ可能とする自動引き上げ機構を備えたものがある。
【０００４】
例えば、スクリーンを巻き取り可能とする巻取パイプ内に、自動引き上げ機構として機能するスプリングモーター及びストッパー装置を備えたロールスクリーンが知られている（例えば、特許文献１参照）。
【０００５】
自動引き上げ機構として機能するスプリングモーターは、概略的には、捩じりコイルスプリングの基端側が支持部材に固定されたプラグキャップに固定され、先端側は巻取パイプの中間部で巻取パイプの内周面に嵌合してこの巻取パイプと一体に回転するドライブプラグに取着されて構成されている。
【０００６】
そして、巻取パイプがスクリーンの巻き戻し方向に回転されると、当該捩じりコイルスプリングが蓄勢される。この捩じりコイルスプリング内には基端側が当該プラグキャップに固定された支持筒が配設され、その支持筒の先端部にストッパー装置が取着されている。
【０００７】
ストッパー装置は、スプリングモーターの付勢力によるスクリーンの引き上げ動作を阻止するロック機能を有し、そのロック機能が働いている状態からスクリーンをプルコードやボールチェーン等で僅かに下方へ引いたとき、ストッパー動作が解除され、スプリングモーターの付勢力により、巻取パイプがスクリーン巻取り方向に回転されて、スクリーンが自動的に引き上げられる。
【０００８】
一方、プルコードやボールチェーン等で巻取パイプをスクリーンの巻き戻し方向に回転させると、スクリーンが下降し、このとき、プルコードやボールチェーン等を手放すなどして引き操作を停止させると、ストッパー装置が作動してスクリーンが当該下降位置に保持される。
【０００９】
尚、この引き操作を停止させストッパー装置が作動するまでの間、スプリングモーターの付勢力によるスクリーンの引き上げ動作が働いているため、スクリーンが僅かに上昇する。
【００１０】
ところで、断面略Ｉ字状をなす帯体よりなる可動遮光材をウェイトバーの中空部内に収納し、その可動遮光材の一部をウェイトバーの下方に露出させ、ウェイトバーが下枠近くまで下降し、その可動遮光材が下枠に接触すると、当該可動遮光材全体が上方に移動すると共に、その下端部が、下枠に隙間なく当接して、ウェイトバーと下枠との間を遮光する技法が開示されている（例えば、特許文献２参照）。
【先行技術文献】
【特許文献】
【００１１】
【特許文献１】実登第３１７０３９０号明細書
【特許文献２】特開２０１５−１８７３７２号公報
【発明の概要】
【発明が解決しようとする課題】
【００１２】
前述したように、遮蔽材を自動的に引き上げ可能とする自動引き上げ機構を備えた遮蔽装置では、遮蔽材を任意の下降位置に保持することができるようストッパー装置が設けられている。
【００１３】
しかしながら、このような自動引き上げ機構を備えた遮蔽装置において、遮蔽材を下限位置まで下降させて引き操作を停止させても、スプリングモーターの付勢力による遮蔽材の引き上げ動作が働いているため遮蔽材が僅かに上昇し、このため遮蔽材の下端に隙間が生じてしまうという問題があった。
【００１４】
例えば、スプリングモーターを備えたプルコード式のロールスクリーンを窓枠内に取り付けた場合、窓枠下面にスクリーン下端に設けられるウェイトバーを当接させて引き操作を停止させたとしても、スクリーンが僅かに上昇しウェイトバー下端と窓枠下面との間に隙間が生じ、光漏れが発生するという問題がある。
【００１５】
また、特許文献２には、断面略Ｉ字状をなす帯体よりなる可動遮光材をウェイトバーの中空部内に上下に相対移動可能に収納し、ウェイトバー下端と窓枠下面との間における隙間を遮蔽可能とする技法が開示されているが、当該ウェイトバーの中空部内に十分な可動域を設けていないと、特に、上述したようなスプリングモーターの付勢力によるスクリーンの上昇（戻り量）を考量していない場合、依然としてウェイトバーの下方が遮蔽不足となりうる。また、特許文献２の技法では、可動遮光材をウェイトバーの中空部内に収納する構成であるため、仮に可動遮光材が当該スクリーンの上昇（戻り量）に十分な可動域を有するとしても、意匠性の観点で改善の余地がある。
【００１６】
従って、このような自動引き上げ機構を備えた遮蔽装置においても、遮蔽材の下端における隙間をより狭くする、より好適には、完全に遮蔽する技法が望まれる。
【００１７】
本発明の目的は、上述の問題に鑑みて、自動引き上げ機構に係るストッパー動作に伴う錘部材下端の遮蔽性をより向上させる遮蔽装置を提供することにある。
【課題を解決するための手段】
【００１８】
本発明の第１態様の遮蔽装置は、遮蔽材を昇降可能とする遮蔽装置であって、遮蔽材の下端部に取着される錘部材と、前記錘部材に対し上下方向に相対移動可能に支持される可動プレートを備え、前記可動プレートは、前記遮蔽材の引き操作に応じて前記錘部材に対し相対移動するよう構成されていることを特徴とする。これにより、操作者は、錘部材の下端位置や可動プレートの可動範囲を直ちに把握することができ、その操作性が向上するようになる。
【００１９】
また、本発明の第１態様の遮蔽装置において、前記遮蔽材の自動引き上げを行う機能と当該自動引き上げの付勢力による当該遮蔽材の引き上げ動作を阻止するロック機能とを有する自動引き上げ機構を更に備えることを特徴とする。これにより、自動引き上げ機構による遮蔽材（例えば、スクリーン）の上昇（戻り量）がある場合にも、錘部材の下方の遮蔽効果を高めることができる。
【００２０】
更に、本発明の第２態様の遮蔽装置は、遮蔽材を昇降可能とする遮蔽装置であって、遮蔽材の下端部に取着される錘部材と、前記錘部材の一側面のみに沿って上下方向に相対移動可能に支持される可動プレートを備え、前記可動プレートは、一定の可動域を有するとともに、当該錘部材の下方を遮蔽するように下方へ相対移動可能に構成されていることを特徴とする。これにより、錘部材（例えばウェイトバー）の下方の遮蔽性を好適に向上させることができる。
【００２２】
また、本発明の別態様の遮蔽装置は、遮蔽材を昇降可能とする遮蔽装置であって、遮蔽材の下端部に取着される錘部材と、前記錘部材に対し上下方向に相対移動可能に支持される可動プレートを備え、前記可動プレートは、一定の可動域を有するとともに、当該錘部材の下方を遮蔽するように下方へ相対移動可能に構成され、前記遮蔽材の自動引き上げを行う機能と当該自動引き上げの付勢力による当該遮蔽材の引き上げ動作を阻止するロック機能とを有する自動引き上げ機構を更に備え、前記可動プレートは、当該ロック機能のストッパー動作により上昇する前記錘部材の戻り量以上の前記可動域を有するとともに、当該錘部材の下方を遮蔽するよう自重により下方へ相対移動可能に構成されていることを特徴とする。これにより、自動引き上げ機構（例えばスプリングモーターの付勢力）を備える遮蔽装置において、特に、錘部材の下方の遮蔽性を好適に向上させることができ、自動引き上げ機構による遮蔽材（例えば、スクリーン）の上昇（戻り量）がある場合にも、確実に、錘部材の下方を遮蔽することができる。
【００２３】
また、本発明の第２態様の遮蔽装置において、前記可動プレートは、前記遮蔽材の引き操作に応じて前記錘部材に対し上方に相対移動するよう構成されていることを特徴とする。これにより、操作者は、錘部材の下端位置や可動プレートの可動範囲を直ちに把握することができ、その操作性が向上するようになる。
【００２４】
また、本発明の第１及び第２態様の遮蔽装置において、前記可動プレートは、前記錘部材の外面に可動係合され、前記遮蔽材の引き操作に応じて当該可動プレートが一定の可動域内で相対移動することを特徴とする。これにより、操作者は、錘部材に対する可動プレートの相対位置を容易に把握できるとともに、その意匠性が優れたものとなる。
【００２５】
また、本発明の第１及び第２態様の遮蔽装置において、前記可動プレートは、装飾生地の上端及び下端の各々を着脱可能に掴持する係合保持部を有することを特徴とする。これにより、可動プレートに係る意匠性をより向上させることができる。
【００２６】
また、本発明の第１及び第２態様の遮蔽装置において、前記可動プレートは、装飾生地の上端を着脱可能に掴持する係合保持部と、前記装飾生地の下端のバタツキを抑制する生地押さえを有することを特徴とする。これにより、可動プレートに係る意匠性をより向上させるとともに、装飾生地の組付性を向上させることができる。
【発明の効果】
【００２７】
本発明によれば、錘部材の下方の遮蔽性をより向上させることが可能となる。
【図面の簡単な説明】
【００２８】
【図１】本発明による第１実施形態の遮蔽装置として構成されるロールスクリーンの概略構成を示す正面図である。
【図２】本発明による第１実施形態の遮蔽装置として構成されるロールスクリーンにおけるウェイトバー周辺の概略構成を示す側面断面図である。
【図３】（ａ），（ｂ）は、それぞれ下降動作時及び下降停止時の本発明による第１実施形態の遮蔽装置として構成されるロールスクリーンにおけるウェイトバーに対する可動プレートの動作を説明する側面断面図である。
【図４】本発明による第２実施形態の遮蔽装置として構成されるロールスクリーンにおけるウェイトバー周辺の概略構成を示す側面断面図である。
【図５】（ａ），（ｂ）は、それぞれ下降動作時及び下降停止時の本発明による第２実施形態の遮蔽装置として構成されるロールスクリーンにおけるウェイトバーに対する可動プレートの動作を説明する側面断面図である。
【図６】（ａ），（ｂ）は、それぞれ本発明による第１及び第２実施形態の遮蔽装置に対する第１変形例として構成されるロールスクリーンにおけるウェイトバー周辺の概略構成を示す側面断面図であり、（ｃ），（ｄ）は、それぞれ本発明による第１及び第２実施形態の遮蔽装置に対する第２変形例として構成されるロールスクリーンにおけるウェイトバー周辺の概略構成を示す側面断面図である。
【図７】（ａ），（ｂ）は、それぞれ下降動作時及び下降停止時の本発明による第２実施形態の遮蔽装置に対する第２変形例として構成されるロールスクリーンにおけるウェイトバーに対する可動プレートの動作を説明する側面断面図である。
【図８】（ａ），（ｂ）は、それぞれ本発明による第１及び第２実施形態の遮蔽装置に対する第３変形例として構成されるロールスクリーンにおけるウェイトバー周辺の概略構成を示す側面断面図であり、（ｃ），（ｄ）は、それぞれ本発明による第１及び第２実施形態の遮蔽装置に対する第４変形例として構成されるロールスクリーンにおけるウェイトバー周辺の概略構成を示す側面断面図である。
【図９】本発明による第２実施形態の遮蔽装置に対する第４変形例として構成されるロールスクリーンにおけるウェイトバーにおける装飾生地の取着方法の説明図である。
【発明を実施するための形態】
【００２９】
以下、図面を参照して、本発明による各実施形態のロールスクリーンを説明する。尚、本願明細書中、図１に示すロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とし、ロールスクリーン１の前後方向と称するときは、図１の正面図における図示面に対して垂直な方向を云う。
【００３０】
〔第１実施形態〕
（遮蔽装置の全体構成）
図１は、本発明による第１実施形態の遮蔽装置として構成されるロールスクリーン１の概略構成を示す正面図である。図１に示すロールスクリーン１は、取付フレーム２の両端に支持部材２ａ，２ｂが固定され、この支持部材２ａ，２ｂ間に円筒状の巻取パイプ３が回転可能に支持される。取付フレーム２は、ブラケット６により取着面に固定される。
【００３１】
巻取パイプ３は、スクリーン４の一端を取着して巻き取り可能に吊下支持している。スクリーン４の他端は、錘部材として機能するウェイトバー５に取着されている。従って、スクリーン４はウェイトバー５の重量に基づいて張設される。
【００３２】
ところで、本実施形態の例では、可動プレート８を上下方向に相対移動可能に支持するウェイトバー５に対し、プルグリップ９によりスクリーン４の開閉動作を行うよう構成される。ただし、本実施形態においても、巻取パイプ３の一端部にボールチェーンや紐等による操作ユニットを設ける構成とすることもできる。
【００３３】
より具体的には、図２及び図３を参照して詳細に後述するが、スクリーン４の下端は、錘部材として機能するウェイトバー５の取着部５ａに取着されている。そして、プルグリップ９に下端を取着しているプルコード９ａの上端９ｂは、ウェイトバー５の下方に設けられたコード導入口５ｂを経てウェイトバー５内に挿入係合され、尚且つウェイトバー５の一側面に設けられたコード導出口５ｃを経て導出され、当該一側面にて上下方向に相対移動可能に支持される可動プレート８の下端部に取着される。
【００３４】
また、巻取パイプ３内に、自動引き上げ機構７として機能する、スプリングモーター７０及びストッパー装置７２が配設されている。
【００３５】
スプリングモーター７０は、概略的には、支持筒７５によって支持される捩じりコイルスプリング７１の基端側が支持部材２ｂに固定されたプラグキャップ７３に固定され、先端側は巻取パイプ３の中間部で巻取パイプ３の内周面に嵌合してこの巻取パイプ３と一体に回転するドライブプラグ７４に取着されて構成されている。
【００３６】
そして、巻取パイプ３がスクリーン４の巻き戻し方向に回転されると、当該捩じりコイルスプリング７１が蓄勢される。基端側が当該プラグキャップ７３に固定された支持筒７５が捩じりコイルスプリング７１内に配設され、その支持筒７５の先端部にストッパー装置７２が取着されている。
【００３７】
尚、本例におけるストッパー装置７２には、スクリーンの引き上げ速度を制限するガバナー装置７６が連結されているが、必ずしもガバナー装置７６が設けられている必要はない。
【００３８】
ストッパー装置７２は、スプリングモーター７１の付勢力によるスクリーン４の引き上げ動作を阻止するロック機能を有し、そのロック機能が作動している状態からスクリーン４をプルグリップ９により僅かに下方へ引いたとき、当該ロック機能によるストッパー動作が解除され、スプリングモーター７１の付勢力により、巻取パイプ３がスクリーン巻取り方向に回転されて、スクリーン４が自動的に引き上げられる。
【００３９】
一方、プルグリップ９による引き操作で、巻取パイプ３をスクリーン４の巻き戻し方向に回転させるとスクリーン４が下降し、このとき、プルグリップ９を手放すなどして引き操作を停止させると、ストッパー装置７２が作動してスクリーン４が当該下降位置に保持される。
【００４０】
この引き操作を停止させストッパー装置７２が作動するまでの間、スプリングモーター７１の付勢力によるスクリーン４の引き上げ動作が維持されるため、スクリーン４が僅かに上昇する。
【００４１】
すると、例えば自動引き上げ機構７を備えたプルコード式のロールスクリーン１を窓枠内に取り付けた場合、従来技法では、窓枠下面にスクリーン下端に設けられるウェイトバー５を当接させて引き操作を停止させたとしても、スクリーン４が僅かに上昇しウェイトバー５の下端と窓枠下面との間に隙間が生じ、光漏れが発生するという問題があった。一方、本発明に係る第１実施形態では、このときのウェイトバー５の下端における隙間をより狭くする、より好適には、完全に遮蔽することができるように、ウェイトバー５に対し、その一側面にて上下方向に相対移動可能に支持される可動プレート８が設けられている。以下、より具体的に、第１実施形態におけるウェイトバー５に係る可動プレート８と、その動作について説明する。
【００４２】
（可動プレート）
図２は、本発明による第１実施形態の遮蔽装置として構成されるロールスクリーン１におけるウェイトバー５周辺の概略構成を示す側面断面図である。図２の両矢印で示すように、可動プレート８は、ウェイトバー５に対し、その一側面（本例では、室内側側面）にて上下方向に相対移動可能に支持される。
【００４３】
より具体的には、ウェイトバー５は、略楕円状断面を有し、その上方にて前後方向で二股状に延びる壁部間で開口して形成される取着部５ａが設けられ、この取着部５ａにスクリーン長さを調整可能な態様でスクリーン４の下端が取着される。また、ウェイトバー５の下方にて、前後方向で二股状に延びる壁部間で開口する開口部の間に形成される下端部には、その長手方向（左右方向）の略中央部にコード導入口５ｂが設けられている。更に、ウェイトバー５の一側面（本例では、室内側側面）には、その長手方向（左右方向）の略中央部にコード導出口５ｃが設けられている。このウェイトバー５の一側面（本例では、室内側側面）には、略Ｔ字断面でウェイトバー５の長手方向（左右方向）に延在する案内片５ｄがウェイトバー５の本体から前方に突出するように形成されている。ただし、案内片５ｄは、ウェイトバー５の長手方向（左右方向）にて複数個所で点在するよう構成してもよい。また、本例では、取着部５ａ及び案内片５ｄに関して複数部材でウェイトバー５を一体化して構成するよう図示しているが、予め単一部材で取着部５ａ及び案内片５ｄを有するウェイトバー５を構成することができる。
【００４４】
可動プレート８は、案内片５ｄと係合する溝状の案内部８ａを有し、ウェイトバー５に対してウェイトバー５の当該一側面（本例では、室内側側面）に沿って上下方向に相対移動可能に支持される。
【００４５】
そして、プルグリップ９に下端を取着しているプルコード９ａの上端９ｂは、ウェイトバー５の下方に設けられたコード導入口５ｂを経てウェイトバー５内に挿入係合され、尚且つウェイトバー５の当該一側面（本例では、室内側側面）に設けられたコード導出口５ｃを経て導出され、可動プレート８の溝状の案内部８ａの下端部に取着されている。
【００４６】
このように構成される可動プレート８のウェイトバー５に対する動作について、図３を参照して説明する。図３（ａ），（ｂ）は、それぞれ下降動作時及び下降停止時の本実施形態のロールスクリーン１におけるウェイトバー５に対する可動プレート８の動作を説明する側面断面図である。
【００４７】
自動引き上げ機構７を備えた本実施形態のロールスクリーン１において、図３（ａ）に示すように、プルグリップ９を用いてスクリーン４の引き操作を行うと、プルグリップ９に下端を取着しているプルコード９ａの上端９ｂが、ウェイトバー５を介して可動プレート８の溝状の案内部８ａの下端部に取着されているため、可動プレート８がウェイトバー５に対し上方へ相対移動する。このため、操作者は、ウェイトバー５の下端や可動プレート８の可動範囲を把握することができ、例えばロールスクリーン１を窓枠内に取り付けた場合、窓枠下面にウェイトバー５を当接させる位置まで容易に引き操作を行うことができる。
【００４８】
続いて、図３（ｂ）に示すように、窓枠Ｗの下面にウェイトバー５を当接させる位置でプルグリップ９を手放して引き操作を停止させると、自動引き上げ機構７におけるスプリングモーター７０とストッパー装置７２の作用で、図示する白抜き矢印のようにスクリーン４が僅かに上昇（即ちウェイトバー５が僅かに上昇）し、ウェイトバー５の下端と窓枠下面との間に距離ｄ１が生じた状態となる。一方で、プルグリップ９が手放されたことで、可動プレート８にはプルコード９ａに付勢されていた引き操作力が無くなるため、可動プレート８は、その自重によりウェイトバー５に対し下方へ相対移動する。すると、可動プレート８の下端と窓枠下面との間が距離ｄ２（ｄ２＜ｄ１）となり、つまり、従来技法では距離ｄ１の隙間が生じていたものを本実施形態では距離ｄ２とすることができ、ウェイトバー５の下端（即ち、可動プレート８の下端）における隙間をより狭くする、より好適には、完全に遮蔽することができる。
【００４９】
これにより、本実施形態によれば、自動引き上げ機構７を備える遮蔽装置として構成されるロールスクリーン１の遮蔽性をより向上させることが可能となる。特に、本実施形態によれば、可動プレート８がウェイトバー５の前外面に可動係合されているため、その意匠性が優れたものとなる。また、可動プレート８が、自動引き上げ機構７により上昇するウェイトバー５の戻り量以上の可動域を有するよう構成され、スクリーン４の引き操作に応じて当該可動域内で相対移動することで、操作者は、ウェイトバー５に対する可動プレート８の相対位置を容易に把握できるようになる。
【００５０】
〔第２実施形態〕
（遮蔽装置の全体構成）
次に、本発明による第２実施形態の遮蔽装置として構成されるロールスクリーン１について説明する。第２実施形態に係るロールスクリーン１は、図１に示す第１実施形態と比較して、ウェイトバー５及び可動プレート８の形状が異なる点を除き、ほぼ同様に構成される。即ち、本実施形態の遮蔽装置として構成されるロールスクリーン１は、自動引き上げ機構７におけるスプリングモーター７０とストッパー装置７２を備えた構成とするものであり、同様な構成要素には同一の参照番号を付して、相違点となる第２実施形態におけるウェイトバー５に係る可動プレート８の構成について主に説明する。
【００５１】
以下、第２実施形態におけるウェイトバー５に係る可動プレート８と、その動作について詳細に説明する。
【００５２】
（可動プレート）
図４は、本発明による第２実施形態の遮蔽装置として構成されるロールスクリーン１におけるウェイトバー５周辺の概略構成を示す側面断面図である。図４の両矢印で示すように、可動プレート８は、ウェイトバー５に対し、その前後両側面にて上下方向に相対移動可能に支持される。
【００５３】
より具体的には、ウェイトバー５は、略Ｈ状断面を有し、その上方にて前後方向で二股状に延びる壁部間で開口して形成される取着部５ａが設けられ、この取着部５ａにスクリーン長さを調整可能な態様でスクリーン４の下端が取着される。また、ウェイトバー５の下方にて、前後方向で二股状に延びる壁部間で開口する開口部の間にて形成される下端部（取着部５ａの下端部）には、その長手方向（左右方向）の略中央部にコード導入口５ｂが設けられている。更に、当該コード導入口５ｂに近接してコード導出口５ｃが設けられている。コード導入口５ｂとコード導出口５ｃは、第１実施形態と同様に、プルコード９ａをウェイトバー５に係合させるために設けられ、コード導入口５ｂとコード導出口５ｃとは互いに前後方向でも左右方向でもよく、コード導入口５ｂとコード導出口５ｃとの間にプルコード９ａを掛装し、その移動を滑らかにする滑車を設けることもできる。プルコード９ａによる引き操作力がウェイトバー５の長手方向の略中央に集中する方がスクリーン４の操作バランスが良くなるため、コード導入口５ｂとコード導出口５ｃとの間隔は、必要以上に離間させる必要性が無い限り近接しているのが好ましい。
【００５４】
また、ウェイトバー５の下方にて、前後方向で二股状に延びる壁部の下端は、前後方向へそれぞれ突出する案内片５ｄが、ウェイトバー５の長手方向（左右方向）に延在するよう形成されている。ただし、案内片５ｄは、ウェイトバー５の長手方向（左右方向）にて複数個所で点在するよう構成してもよい。また、本例では、取着部５ａ及び案内片５ｄに関して単一部材でウェイトバー５を構成するよう図示しているが、複数部材で一体化して取着部５ａ及び案内片５ｄを有するウェイトバー５を構成することもできる。
【００５５】
可動プレート８は、上方に開口部８ｅを有し、ウェイトバー５を前後から包み込むケース状に形成され、その空洞状内部には、その前後内側壁でそれぞれ構成される案内部８ａを有している。この前後の案内部８ａは、ウェイトバー５における前後方向へそれぞれ突出している案内片５ｄと係合し、上下方向の移動を案内する機能を有する。
【００５６】
尚、可動プレート８の上方に形成される開口部８ｅは、前後方向で内方に突出し長手方向に延在する突出片８ｄにより形成されている。また、前後内側壁でそれぞれ構成される案内部８ａには、内方に突出する規制片８ｂがそれぞれ形成されている。
【００５７】
このため、ウェイトバー５に対する可動プレート８の移動は、突出片８ｄと規制片８ｂとの間で、ウェイトバー５の取着部５ａの部位が上下に移動可能とし、突出片８ｄと可動プレート８の底面との間で、ウェイトバー５の案内片５ｄの部位が上下に移動可能となるよう構成されている。本例では、ウェイトバー５の取着部５ａの部位の上下移動可能範囲と、ウェイトバー５の案内片５ｄの部位の上下移動可能範囲とを同じくするよう構成した例としているが、いずれか一方によりウェイトバー５に対する可動プレート８の移動範囲を規制するよう構成すればよい。
【００５８】
また、可動プレート８の底面には、ウェイトバー５のコード導入口５ｂと対応する位置関係で、コード導入口８ｃが形成されている。そして、プルグリップ９に下端を取着しているプルコード９ａの上端９ｂは、可動プレート８の底面におけるコード導入口８ｃに挿入された後、ウェイトバー５の前後の案内片５ｄの間を通り、取着部５ａの下端部に設けられたコード導入口５ｂを経て挿入係合され、尚且つコード導入口５ｂに近接するコード導出口５ｃを経て導出され、可動プレート８の底面に取着されている。
【００５９】
このように構成される可動プレート８のウェイトバー５に対する動作について、図３を参照して説明する。図５（ａ），（ｂ）は、それぞれ下降動作時及び下降停止時の本実施形態のロールスクリーン１におけるウェイトバー５に対する可動プレート８の動作を説明する側面断面図である。
【００６０】
自動引き上げ機構７を備えた本実施形態のロールスクリーン１において、図５（ａ）に示すように、プルグリップ９を用いてスクリーン４の引き操作を行うと、プルグリップ９に下端を取着しているプルコード９ａの上端９ｂが、ウェイトバー５を介して可動プレート８の底面に取着されているため、可動プレート８がウェイトバー５に対し上方へ相対移動する。このため、操作者は、ウェイトバー５の下端や可動プレート８の可動範囲を把握することができ、例えばロールスクリーン１を窓枠内に取り付けた場合、窓枠下面にウェイトバー５を当接させる位置まで容易に引き操作を行うことができる。
【００６１】
続いて、図５（ｂ）に示すように、窓枠Ｗの下面にウェイトバー５を当接させる位置でプルグリップ９を手放して引き操作を停止させると、自動引き上げ機構７におけるスプリングモーター７０とストッパー装置７２の作用で、図示する白抜き矢印のようにスクリーン４が僅かに上昇（即ちウェイトバー５が僅かに上昇）する。このとき、プルグリップ９が手放されたことで、可動プレート８にはプルコード９ａに付勢されていた引き操作力が無くなるため、可動プレート８は、その自重によりウェイトバー５に対し下方へ相対移動する。すると、可動プレート８の下端と窓枠下面との間が距離ｄ２は、当該上昇したウェイトバー５の下端と窓枠下面との間の距離より短いものとなり、つまり、従来技法で隙間が生じていたものを本実施形態では距離ｄ２とすることができ、ウェイトバー５の下端（即ち、可動プレート８の下端）における隙間をより狭くする、より好適には、完全に遮蔽することができる。
【００６２】
これにより、本実施形態によれば、自動引き上げ機構７を備える遮蔽装置として構成されるロールスクリーン１の遮蔽性をより向上させることが可能となる。特に、本実施形態によれば、可動プレート８がウェイトバー５の前後両外面に可動係合されているため、その意匠性が優れたものとなる。また、可動プレート８が、自動引き上げ機構７により上昇するウェイトバー５の戻り量以上の可動域を有するよう構成され、スクリーン４の引き操作に応じて当該可動域内で相対移動することで、操作者は、ウェイトバー５に対する可動プレート８の相対位置を容易に把握できるようになる。
【００６３】
〔その他の実施形態〕
次に、本発明による第１及び第２実施形態の遮蔽装置として構成されるロールスクリーン１について、その変形例をその他の実施形態として説明する。図６（ａ），（ｂ）は、それぞれ本発明による第１及び第２実施形態の遮蔽装置に対する第１変形例として構成されるロールスクリーン１におけるウェイトバー５周辺の概略構成を示す側面断面図である。また、図６（ｃ），（ｄ）は、それぞれ本発明による第１及び第２実施形態の遮蔽装置に対する第２変形例として構成されるロールスクリーン１におけるウェイトバー５周辺の概略構成を示す側面断面図である。
【００６４】
（第１変形例）
まず、図６（ａ）には、第１実施形態の遮蔽装置として構成されるロールスクリーン１に対する第１変形例として、そのウェイトバー５周辺の概略構成を示している。前述した第１実施形態では、プルグリップ９に下端を取着しているプルコード９ａの上端９ｂは、ウェイトバー５のコード導入口５ｂを経て挿入係合され、尚且つウェイトバー５のコード導出口５ｃを経て導出され、可動プレート８の下端部に取着されるとして説明した。一方、図６（ａ）に示す第１変形例では、ウェイトバー５におけるコード導入口５ｂを経て挿入係合された状態で結び玉等により係止される。このため、図６（ａ）に示す第１実施形態に基づく第１変形例の形態は、ウェイトバー５にコード導出口５ｃを設けていない点を除き、ウェイトバー５及び可動プレート８の構成に関して第１実施形態と同様である。従って、第１実施形態のウェイトバー５及び可動プレート８の構成に対し、ウェイトバー５におけるコード導入口５ｂを経て挿入係合された状態で結び玉等により係止したものとしてもよい。
【００６５】
同様に、図６（ｂ）には、第２実施形態の遮蔽装置として構成されるロールスクリーン１に対する第１変形例として、そのウェイトバー５周辺の概略構成を示している。前述した第２実施形態では、プルグリップ９に下端を取着しているプルコード９ａの上端９ｂは、可動プレート８の底面のコード導入口８ｃからウェイトバー５のコード導入口５ｂを経て挿入係合され、尚且つウェイトバー５のコード導出口５ｃを経て導出され、可動プレート８の底面に取着されるとして説明した。一方、図６（ｂ）に示す第１変形例では、可動プレート８の底面のコード導入口８ｃからウェイトバー５におけるコード導入口５ｂを経て挿入係合された状態で結び玉等により係止される。このため、図６（ｂ）に示す第２実施形態に基づく第１変形例の形態は、ウェイトバー５にコード導出口５ｃを設けていない点を除き、ウェイトバー５及び可動プレート８の構成に関して第２実施形態と同様である。従って、第２実施形態のウェイトバー５及び可動プレート８の構成に対し、ウェイトバー５におけるコード導入口５ｂを経て挿入係合された状態で結び玉等により係止したものとしてもよい。
【００６６】
この第１変形例では、図３（ａ）及び図５（ａ）にてそれぞれ説明した動作とは異なり、プルグリップ９を用いてスクリーン４の引き操作を行っても、可動プレート８がウェイトバー５に対し上方へ相対移動することはないが、実質的に、図３（ｂ）及び図５（ｂ）にてそれぞれ説明した動作と同様な動作となる。即ち、窓枠Ｗの下面にウェイトバー５を当接させる位置でプルグリップ９を手放して引き操作を停止させたとき、自動引き上げ機構７におけるスプリングモーター７０とストッパー装置７２の作用でウェイトバー５が僅かに上昇しても、可動プレート８は、その自重によりウェイトバー５に対し下方へ相対移動するよう働くため、ウェイトバー５の下端（即ち、可動プレート８の下端）における隙間をより狭くする、より好適には、完全に遮蔽することができる。
【００６７】
第１変形例では、第１及び第２実施形態とは異なり、プルグリップ９を用いてスクリーン４の引き操作を行ったときの可動プレート８がウェイトバー５に対し上方へ相対移動することはないため、操作者は、ウェイトバー５の下端や可動プレート８の可動範囲を直ちに把握することができない点で不利となるが、組立性の観点からは有利となる。
【００６８】
これにより、第１及び第２実施形態に対する第１変形例によれば、自動引き上げ機構７を備える遮蔽装置として構成されるロールスクリーン１の遮蔽性をより向上させることが可能となる。特に、第１変形例によれば、可動プレート８がウェイトバー５の前外面或いは前後両外面に可動係合されているため、その意匠性が優れたものとなる。また、可動プレート８が、自動引き上げ機構７により上昇するウェイトバー５の戻り量以上の可動域を有するよう構成されているため、ウェイトバー５の下方の遮蔽効果を向上させることができる。そして、このような作用・効果を組立性の観点から有利な態様で実現できるようになる。
【００６９】
（第２変形例）
次に、図６（ｃ），（ｄ）には、それぞれ第１及び第２実施形態の遮蔽装置として構成されるロールスクリーン１に対する第２変形例として、そのウェイトバー５周辺の概略構成を示している。前述した第１及び第２実施形態では、プルグリップ９を用いるウェイトバー５に可動プレート８を設けるとして説明した。一方、図６（ｃ），（ｄ）に示す第２変形例では、例えばボールチェーンなどを利用したスクリーン４の下降操作（図示せず）としてロールスクリーン１を構成したときに、プルグリップ９を不要とした際の例であり、このためプルコード９ａに関するコード導入／導出口を設けていない点を除き、ウェイトバー５及び可動プレート８の構成はそれぞれ第１及び第２実施形態と同様である。従って、第１及び第２実施形態のウェイトバー５及び可動プレート８の構成に対し、プルコード９ａやプルグリップ９の設置を不要としたものとしてもよい。
【００７０】
この第２変形例では、図３（ａ）及び図５（ａ）にてそれぞれ説明した動作とは異なり、例えばボールチェーンなどを利用してスクリーン４の下降操作を行っても、可動プレート８がウェイトバー５に対し上方へ相対移動することはないが、実質的に、図３（ｂ）及び図５（ｂ）にてそれぞれ説明した動作と同様な動作となる。即ち、窓枠Ｗの下面にウェイトバー５を当接させる位置でプルグリップ９を手放して引き操作を停止させたとき、自動引き上げ機構７におけるスプリングモーター７０とストッパー装置７２の作用でウェイトバー５が僅かに上昇しても、可動プレート８は、その自重によりウェイトバー５に対し下方へ相対移動するよう働くため、ウェイトバー５の下端（即ち、可動プレート８の下端）における隙間をほぼ完全に遮蔽することができる。
【００７１】
例えば、第２実施形態に対する第２変形例の動作を図７に示している。図７（ａ）のように可動プレート８付きのウェイトバー５が下降動作して、図７（ｂ）のように、窓枠Ｗの下面にウェイトバー５を当接させる位置で下降停止させたとき、可動プレート８の底面が窓枠Ｗの下面に当接した状態で、自動引き上げ機構７におけるスプリングモーター７０とストッパー装置７２の作用でウェイトバー５が僅かに上昇する。このとき、可動プレート８は、その自重によりウェイトバー５に対し下方へ相対移動するよう働き、可動プレート８の底面が窓枠Ｗの下面に当接した状態を維持することができる。このため、ウェイトバー５の下端（即ち、可動プレート８の下端）における隙間をほぼ完全に遮蔽することができる。
【００７２】
第２変形例では、第１及び第２実施形態とは異なり、下降操作を行ったときの可動プレート８がウェイトバー５に対し上方へ相対移動することはないため、操作者は、ウェイトバー５の下端や可動プレート８の可動範囲を直ちに把握することができない点で不利となるが、組立性の観点からは有利となる。
【００７３】
これにより、第１及び第２実施形態に対する第２変形例によれば、自動引き上げ機構７を備える遮蔽装置として構成されるロールスクリーン１の遮蔽性をより向上させることが可能となる。特に、第２変形例によれば、プルグリップ９を用いる形態以外でも、可動プレート８がウェイトバー５の前外面或いは前後両外面に可動係合されているため、その意匠性が優れたものとなる。また、可動プレート８が、自動引き上げ機構７により上昇するウェイトバー５の戻り量以上の可動域を有するよう構成されているため、ウェイトバー５の下方の遮蔽効果を向上させることができる。そして、このような作用・効果を組立性の観点から有利な態様で実現できるようになる。
【００７４】
次に、更なる変形例を説明する。前述した本発明による第１及び第２実施形態の遮蔽装置、或いは第１及び第２変形例として構成されるロールスクリーン１では、ウェイトバー５に対し上下方向に相対移動可能な可動プレート８を支持する構成としたため、その全体構成がウェイトバー５のみの場合と比較して相対的に大きくなり、美観を損なうことがある。そこで、可動プレート８に対し装飾生地１０を取着可能にして、その意匠性を向上させることができる。このような装飾生地１０として、例えばスクリーン４と同一素材とすることができる。
【００７５】
図８（ａ），（ｂ）は、それぞれ本発明による第１及び第２実施形態の遮蔽装置に対する第３変形例として構成されるロールスクリーン１におけるウェイトバー５周辺の概略構成を示す側面断面図である。また、図８（ｃ），（ｄ）は、それぞれ本発明による第１及び第２実施形態の遮蔽装置に対する第４変形例として構成されるロールスクリーン１におけるウェイトバー５周辺の概略構成を示す側面断面図である。
【００７６】
（第３変形例）
まず、図８（ａ），（ｂ）には、第１及び第２実施形態の遮蔽装置として構成されるロールスクリーン１に対する第３変形例として、そのウェイトバー５周辺の概略構成を示している。前述した第１及び第２実施形態と比較して、その第３変形例では、可動プレート８の前面（室内側面）に対し、装飾生地１０を取着可能にする係合保持部８ｈがその長手方向のほぼ全長に亘って、上端及び下端に設けられている。可動プレート８の前面（室内側面）の上端及び下端における係合保持部８ｈの各々は、それぞれ装飾生地１０の上端及び下端を掴持することが可能な生地押さえ８ｆと爪部８ｇが形成されている。係合保持部８ｈを利用することで、装飾生地１０を利用者の要望に応じて着脱可能に取着することができ、これにより、第１及び第２実施形態の作用・効果を維持しつつ、その意匠性を向上させることができる。尚、この第３変形例として示される係合保持部８ｈは、前述した第１及び第２変形例の可動プレート８に対しても適用可能であることは勿論であり、上述した第１及び第２変形例の作用・効果を得ることができる。
【００７７】
（第４変形例）
次に、図８（ｃ），（ｄ）には、第１及び第２実施形態の遮蔽装置として構成されるロールスクリーン１に対する第４変形例として、そのウェイトバー５周辺の概略構成を示している。前述した第１及び第２実施形態と比較して、その第４変形例では、可動プレート８の前面（室内側面）に対し、装飾生地１０の上端を取着可能にする係合保持部８ｈと、装飾生地１０の下端のバタツキを抑制する生地押さえ８ｉが、その長手方向のほぼ全長に亘って、それぞれ上端及び下端に設けられている。可動プレート８の前面（室内側面）の上端における係合保持部８ｈは、それぞれ装飾生地１０の上端を掴持することが可能な生地押さえ８ｆと爪部８ｇが形成されている。生地押さえ８ｉは、装飾生地１０の下端のバタツキを抑制する程度に突出させていればよい。第４変形例では、装飾生地１０を可動プレート８の前面（室内側面）に取着する際に、係合保持部８ｈにより装飾生地１０の上端を取着して係止し、生地押さえ８ｉの部分で装飾生地１０の下端を挿入係合させるだけでよくなり、装飾生地１０の取着に関して、装飾生地１０の弛みの発生を抑制し、尚且つ組立性がより向上する。これにより、第１及び第２実施形態の作用・効果を維持しつつ、その意匠性を向上させることができる。尚、この第４変形例として示される係合保持部８ｈ及び生地押さえ８ｉは、前述した第１及び第２変形例の可動プレート８に対しても適用可能であることは勿論であり、上述した第１及び第２変形例の作用・効果を得ることができる。
【００７８】
図９に、前述した第２変形例に関して第４変形例として構成する可動プレート８に対する装飾生地１０の取着方法について図示している。第４変形例では、係合保持部８ｈにより装飾生地１０の上端を取着して係止し、生地押さえ８ｉの部分で装飾生地１０の下端を挿入係合させるだけで装飾生地１０を可動プレート８の前面（室内側面）に取着することができる。従って、可動プレート８の正面（前方）から装飾生地１０をする場合（図示Ａで示す２点鎖線）、或いは可動プレート８の側面（側方）から装飾生地１０をする場合（図示Ｂで示す１点鎖線）のいずれの場合においても、装飾生地１０の取着に関して、装飾生地１０の弛みの発生を抑制し、容易に組み付けることや取り外すことができる。
【００７９】
尚、可動プレート８に装飾生地１０を取着した後、突起部１１１を有するサイドキャップ１１ａ，１１ｂにより、可動プレート８の側部の開口に対し、例えば狭圧挿入するなどして、蓋着するよう構成するのが好適である。
【００８０】
以上、特定の実施形態の例を挙げて本発明を説明したが、本発明は前述の実施形態の例に限定されるものではなく、その技術思想を逸脱しない範囲で種々変形可能である。例えば、可動プレート８の可動域は、自動引き上げ機構７の作用で当該ロック機能のストッパー動作により上昇するウェイトバー５の戻り量以上であるか否かを問わず、更にはウェイトバー５の高さ方向長さによらず、スクリーン４の引き操作に応じてウェイトバー５に対し上方に相対移動するよう構成することができる。また、可動プレート８をウェイトバー５に対し相対移動可能に構成する際に、可動プレート８の自重によらず、或いはその自重を含み、バネ等を用いる構成とすることもできる。
【００８１】
また、上述した各実施形態やその変形例の説明では、ロールスクリーンについてのみ説明したが、ローマンシェードやプリーツスクリーンにおけるボトムレールに対しても可動プレートを適用した構成とすることができる。例えば、図７及び図９等で説明したウェイトバーを、ローマンシェードやプリーツスクリーンにおける錘部材として機能するボトムレールとして構成し、このボトムレールに対し当該可動プレートを設ければよい。このため、本発明に係る可動プレートは、自動引き上げ機構を備えた任意の遮蔽装置に適用可能である。
【産業上の利用可能性】
【００８２】
本発明によれば、自動引き上げ機構に係るストッパー動作に伴う錘部材下端の遮蔽性をより向上させることが可能となるので、自動引き上げ機構を備える遮蔽装置の用途に有用である。
【符号の説明】
【００８３】
１  ロールスクリーン
４  遮蔽材（スクリーン）
５  ウェイトバー
７  自動引き上げ機構
８  可動プレート
８ｈ  係合保持部
８ｉ  生地押さえ
９  プルグリップ
９ａ  プルコード
１０  装飾生地
７１  スプリングモーター
７２  ストッパー装置
【図１】
0006749100.tif 000002
【図２】
0006749100.tif 000003
【図３】
0006749100.tif 000004
【図４】
0006749100.tif 000005
【図５】
0006749100.tif 000006
【図６】
0006749100.tif 000007
【図７】
0006749100.tif 000008
【図８】
0006749100.tif 000009
【図９】
0006749100.tif 000010